(57)【要約】【課題】各空調機が担当している空調ゾーンを正確に把握する。【解決手段】各サーバラック２にラック温度センサＳを設ける。各センサＳの属するゾーンＺを仮決めする。空調機３−１を属性判断対象の空調機とし、この空調機３−１からのサーバルーム１への給気温度の計測値の変動の有無を確認し、変動がなかった場合には給気温度の設定値を変更した後、空調機３−１が担当するゾーンＺ１に属するセンサとして仮決めされているセンサＳ（Ｓ１〜Ｓ３）の計測するラック温度の変化を観測する。観測したラック温度の変化に基づいて、仮決めされているセンサＳがゾーンＺ１に属するものであるか否かを判断し、属していれば、そのセンサＳをゾーンＺ１に属するセンサとして確定し、属していなければ、そのセンサＳに対して仮決めされているゾーンＺ（Ｚ１）を次の空調機３−２が担当するゾーンＺ２に変更する。属性判断対象の空調機３を切り替えながら同様動作を繰り返す。【選択図】  図１
2017203610.tif 000002
【特許請求の範囲】
【請求項１】
サーバラックが複数配設されたサーバルームと、このサーバルーム内の空調を分担して行う複数の空調機と、前記サーバラックへの空気の吸込み温度をラック温度として計測する前記サーバラック毎に設けられたラック温度センサとを備えた空調システムに用いられ、前記複数の空調機が担当する前記サーバルーム内の空調ゾーンを判別するサーバルームにおける空調ゾーンの判別装置において、
前記ラック温度センサとこのラック温度センサが属するゾーンとして仮決めされた前記空調ゾーンとの関係をラック温度センサの属性として記憶するラック温度センサ属性記憶部と、
前記複数の空調機のうちの１つを属性判断対象の空調機とし、この属性判断対象の空調機からの前記サーバルームへの給気温度の計測値に変動があったか否かを確認し、変動がなかった場合にはその給気温度の設定値を変更した後、前記属性判断対象の空調機が担当する空調ゾーンに属するセンサとして仮決めされている前記ラック温度センサの計測するラック温度の変化を観測するラック温度変化観測部と、
前記ラック温度変化観測部によって観測されたラック温度の変化に基づいて、そのラック温度の変化が観測されたラック温度センサが前記属性判断対象の空調機が担当する空調ゾーンに属するセンサであるか否かを判断し、属性判断対象の空調機が担当する空調ゾーンに属するセンサであると判断された場合には、そのラック温度センサを属性判断対象の空調機が担当する空調ゾーンに属するラック温度センサとして確定し、属性判断対象の空調機が担当する空調ゾーンに属するセンサではないと判断された場合には、そのラック温度センサに対して仮決めされている空調ゾーンを次の空調機が担当する空調ゾーンに変更するラック温度センサ属性判断部とを備え、
前記ラック温度変化観測部は、
前記ラック温度センサ属性判断部での処理の終了後、次の空調機を新たな属性判断対象の空調機とし、この新たな属性判断対象の空調機からの前記サーバルームへの給気温度の計測値に変動があったか否かを確認し、変動がなかった場合にはその給気温度の設定値を変更した後、この新たな属性判断対象の空調機が担当する空調ゾーンに属するセンサとして仮決めされている前記ラック温度センサの計測するラック温度の変化を観測し、
前記ラック温度センサ属性判断部は、
全ての前記ラック温度センサの属する空調ゾーンが確定されるまで、前記ラック温度変化観測部によって観測されたラック温度の変化に基づく処理を繰り返す
ことを特徴とするサーバルームにおける空調ゾーンの判別装置。
【請求項２】
請求項１に記載されたサーバルームにおける空調ゾーンの判別装置において、
前記ラック温度変化観測部は、
前記属性判断対象の空調機が担当する空調ゾーンに属するセンサとして仮決めされている前記ラック温度センサの計測値と前記属性判断対象の空調機の給気温度計測値との偏差の変動を前記ラック温度センサの計測するラック温度の変化を示す指標として観測する
ことを特徴とするサーバルームにおける空調ゾーンの判別装置。
【請求項３】
サーバラックが複数配設されたサーバルームと、このサーバルーム内の空調を分担して行う複数の空調機と、前記サーバラックへの空気の吸込み温度をラック温度として計測する前記サーバラック毎に設けられたラック温度センサとを備えた空調システムに適用され、前記複数の空調機が担当する前記サーバルーム内の空調ゾーンを判別するサーバルームにおける空調ゾーンの判別方法において、
前記ラック温度センサとこのラック温度センサが属するゾーンとして仮決めされた前記空調ゾーンとの関係をラック温度センサの属性として記憶するラック温度センサ属性記憶ステップと、
前記複数の空調機のうちの１つを属性判断対象の空調機とし、この属性判断対象の空調機からの前記サーバルームへの給気温度の計測値に変動があったか否かを確認し、変動がなかった場合にはその給気温度の設定値を変更した後、前記属性判断対象の空調機が担当する空調ゾーンに属するセンサとして仮決めされている前記ラック温度センサの計測するラック温度の変化を観測するラック温度変化観測ステップと、
前記ラック温度変化観測ステップによって観測されたラック温度の変化に基づいて、そのラック温度の変化が観測されたラック温度センサが前記属性判断対象の空調機が担当する空調ゾーンに属するセンサであるか否かを判断し、属性判断対象の空調機が担当する空調ゾーンに属するセンサであると判断された場合には、そのラック温度センサを属性判断対象の空調機が担当する空調ゾーンに属するラック温度センサとして確定し、属性判断対象の空調機が担当する空調ゾーンに属するセンサではないと判断された場合には、そのラック温度センサに対して仮決めされている空調ゾーンを次の空調機が担当する空調ゾーンに変更するラック温度センサ属性判断ステップとを備え、
前記ラック温度変化観測ステップは、
前記ラック温度センサ属性判断部での処理の終了後、次の空調機を新たな属性判断対象の空調機とし、この新たな属性判断対象の空調機からの前記サーバルームへの給気温度の計測値に変動があったか否かを確認し、変動がなかった場合にはその給気温度の設定値を変更した後、この新たな属性判断対象の空調機が担当する空調ゾーンに属するセンサとして仮決めされている前記ラック温度センサの計測するラック温度の変化を観測し、
前記ラック温度センサ属性判断ステップは、
全ての前記ラック温度センサの属する空調ゾーンが確定されるまで、前記ラック温度変化観測ステップによって観測されたラック温度の変化に基づく処理を繰り返す
ことを特徴とするサーバルームにおける空調ゾーンの判別方法。
【請求項４】
請求項３に記載されたサーバルームにおける空調ゾーンの判別方法において、
前記ラック温度変化観測ステップは、
前記属性判断対象の空調機が担当する空調ゾーンに属するセンサとして仮決めされている前記ラック温度センサの計測値と前記属性判断対象の空調機の給気温度計測値との偏差の変動を前記ラック温度センサの計測するラック温度の変化を示す指標として観測する
ことを特徴とするサーバルームにおける空調ゾーンの判別方法。
【発明の詳細な説明】
【技術分野】
【０００１】
本発明は、複数の空調機が担当するサーバルーム内の空調ゾーンを判別するサーバルームにおける空調ゾーンの判別装置および判別方法に関する。
【背景技術】
【０００２】
図５にサーバルームの一例（平面図）を示す。このサーバルーム１には、サーバラック２が複数配設されており、このサーバルーム１内の空調を分担して行う複数の空調機３が設けられている。サーバラック２にはサーバがＩＴ（Information technology）機器として収容されている。
【０００３】
サーバルーム１内は、過度に冷却されているエリア（過渡に冷気が供給されているエリア）やホットスポットのエリアをなくすように、 複数の空調機３により冷気の供給が行われる。このサーバルーム１では、サーバルーム１内の温度制御として、空調機３から吹き出される空気の温度（給気温度）を一定に制御する給気温度一定制御、または空調機３に吸い込まれる空気の温度（吸込温度）を一定に制御する吸込温度一定制御が行われる（例えば、特許文献１参照）。
【０００４】
サーバルーム１には、ＩＴ機器の一定の熱負荷を基準にして、最善のレイアウトで空調機３を配置する。サーバラック２からの排気は、１つの事例として、サーバルーム１の天井裏の排気プレナム（天井裏空間）に排出される。空調機３は、この排気を吸い込み、吸い込んだ空気を冷却する。この空調機３によって冷却された空気（冷気）は、フロアの開口部（グリルパネル）から吹き出されて、サーバラック２に送られ、サーバラック２に収容されているＩＴ機器を冷却する（例えば、特許文献２参照）。
【先行技術文献】
【特許文献】
【０００５】
【特許文献１】特開２００８−１２８５３８号公報
【特許文献２】特開２００９−１４０４２１号公報
【発明の概要】
【発明が解決しようとする課題】
【０００６】
しかしながら、このようなサーバルームでは、温度制御に用いる温度設定値が固定され一定温度で運用され、かつ、複数台の空調機でサーバルーム内のＩＴ機器を冷却しているため、またフロアの開口部の配置がサーバラックの増設に応じて変化するため、各空調機が担当している空調ゾーンが正確に把握できていない。
【０００７】
このような状態（空調ゾーンが曖昧な状態）で温度設定値の変更を行うと、無駄な冷却や更なる温熱環境の悪化（過冷却やホットスポットの発生）など、運用管理者の意図と相反する深刻な状況に陥ってしまう虞がある。また、空調機の運転効率も低い状態に陥る虞がある。
【０００８】
本発明は、このような課題を解決するためになされたもので、その目的とするところは、各空調機が担当している空調ゾーンを正確に把握することが可能なサーバルームにおける空調ゾーンの判別装置および判別方法を提供することにある。
【課題を解決するための手段】
【０００９】
このような目的を達成するために本発明は、サーバラック（２）が複数配設されたサーバルーム（１）と、このサーバルーム（１）内の空調を分担して行う複数の空調機（３）と、サーバラック（２）への空気の吸込み温度をラック温度として計測するサーバラック（２）毎に設けられたラック温度センサ（Ｓ）とを備えた空調システム（１００）に用いられ、複数の空調機（３）が担当するサーバルーム（１）内の空調ゾーン（Ｚ）を判別するサーバルームにおける空調ゾーンの判別装置（６）において、ラック温度センサ（Ｓ）とこのラック温度センサ（Ｓ）が属するゾーンとして仮決めされた空調ゾーン（Ｚ）との関係をラック温度センサの属性として記憶するラック温度センサ属性記憶部（６１）と、複数の空調機（３）のうちの１つを属性判断対象の空調機（３−Ｎ）とし、この属性判断対象の空調機（３−Ｎ）からのサーバルーム（１）への給気温度の計測値に変動があったか否かを確認し、変動がなかった場合にはその給気温度の設定値を変更した後、属性判断対象の空調機（３−Ｎ）が担当する空調ゾーン（ＺＮ）に属するセンサとして仮決めされているラック温度センサ（Ｓ）の計測するラック温度の変化を観測するラック温度変化観測部（６２）と、ラック温度変化観測部（６２）によって観測されたラック温度の変化に基づいて、そのラック温度の変化が観測されたラック温度センサ（Ｓ）が属性判断対象の空調機（３−Ｎ）が担当する空調ゾーン（ＺＮ）に属するセンサであるか否かを判断し、属性判断対象の空調機（３−Ｎ）が担当する空調ゾーン（ＺＮ）に属するセンサであると判断された場合には、そのラック温度センサ（Ｓ）を属性判断対象の空調機（３−Ｎ）が担当する空調ゾーン（ＺＮ）に属するラック温度センサ（Ｓ）として確定し、属性判断対象の空調機（３−Ｎ）が担当する空調ゾーン（ＺＮ）に属するセンサではないと判断された場合には、そのラック温度センサ（Ｓ）に対して仮決めされている空調ゾーン（ＺＮ）を次の空調機（３−Ｎ＋１）が担当する空調ゾーン（ＺＮ＋１）に変更するラック温度センサ属性判断部（６３）とを備え、ラック温度変化観測部（６２）は、ラック温度センサ属性判断部（６３）での処理の終了後、次の空調機（３−Ｎ＋１）を新たな属性判断対象の空調機（３−Ｎ）とし、この新たな属性判断対象の空調機（３−Ｎ）からのサーバルーム（１）への給気温度の計測値に変動があったか否かを確認し、変動がなかった場合にはその給気温度の設定値を変更した後、この新たな属性判断対象（３−Ｎ）が担当する空調ゾーン（ＺＮ）に属するセンサとして仮決めされているラック温度センサ（Ｓ）の計測するラック温度の変化を観測し、ラック温度センサ属性判断部（６３）は、全てのラック温度センサ（Ｓ）の属する空調ゾーン（Ｚ）が確定されるまで、ラック温度変化観測部（６２）によって観測されたラック温度の変化に基づく処理を繰り返すことを特徴とする。
【００１０】
この発明において、ラック温度センサ属性記憶部（６１）には、ラック温度センサ（Ｓ）とこのラック温度センサ（Ｓ）が属するゾーンとして仮決めされた空調ゾーン（Ｚ）との関係がラック温度センサの属性として記憶される。ラック温度変化観測部（６２）は、複数の空調機（３）のうちの１つを属性判断対象の空調機（３−Ｎ）とし、この属性判断対象の空調機（３−Ｎ）からのサーバルーム（１）への給気温度の計測値に変動があったか否かを確認し、変動がなかった場合にはその給気温度の設定値を変更した後、この属性判断対象の空調機（３−Ｎ）からのサーバルーム（１）への給気温度を変更し、この給気温度を変更した際の属性判断対象の空調機（３−Ｎ）が担当する空調ゾーン（ＺＮ）に属するセンサとして仮決めされているラック温度センサ（Ｓ）の計測するラック温度の変化を観測する。
【００１１】
ラック温度センサ属性判断部（６３）は、ラック温度変化観測部（６２）によって観測されたラック温度の変化に基づいて、そのラック温度の変化が観測されたラック温度センサ（Ｓ）が属性判断対象の空調機（３−Ｎ）が担当する空調ゾーン（ＺＮ）に属するセンサであるか否かを判断し、属性判断対象の空調機（３−Ｎ）が担当する空調ゾーン（ＺＮ）に属するセンサであると判断した場合には、そのラック温度センサ（Ｓ）を属性判断対象の空調機（３−Ｎ）が担当する空調ゾーン（ＺＮ）に属するセンサとして確定し、属性判断対象の空調機（３−Ｎ）が担当する空調ゾーン（ＺＮ）に属するセンサではないと判断した場合には、そのラック温度センサ（Ｓ）に対して仮決めされている空調ゾーン（ＺＮ）を次の空調機（３−Ｎ＋１）が担当する空調ゾーン（ＺＮ＋１）に変更する。
【００１２】
このラック温度センサ属性判断部（６３）での処理が終了すると、ラック温度変化観測部（６２）は、次の空調機（３−Ｎ＋１）を新たな属性判断対象の空調機（３−Ｎ）とし、この新たな属性判断対象の空調機（３−Ｎ）からのサーバルーム（１）への給気温度の計測値に変動があったか否かを確認し、変動がなかった場合にはその給気温度の設定値を変更した後、この新たな属性判断対象の空調機（３−Ｎ）が担当する空調ゾーン（ＺＮ）に属するセンサとして仮決めされているラック温度センサ（Ｓ）の計測するラック温度の変化を観測する。ラック温度センサ属性判断部（６３）は、全てのラック温度センサ（Ｓ）の属する空調ゾーン（Ｚ）が確定されるまで、ラック温度変化観測部（６２）によって観測されたラック温度の変化に基づく処理を繰り返す。
【００１３】
すなわち、ラック温度センサ属性判断部（６３）、ラック温度の変化が観測されたラック温度センサ（Ｓ）が属性判断対象の空調機（３−Ｎ）が担当する空調ゾーン（ＺＮ）に属するセンサであるか否かを判断し、属性判断対象の空調機（３−Ｎ）が担当する空調ゾーン（ＺＮ）に属するセンサであると判断した場合には、そのラック温度センサ（Ｓ）を属性判断対象の空調機（３−Ｎ）が担当する空調ゾーン（ＺＮ）に属するセンサとして確定し、属性判断対象の空調機（３−Ｎ）が担当する空調ゾーン（ＺＮ）に属するセンサではないと判断した場合には、そのラック温度センサ（Ｓ）に対して仮決めされている空調ゾーン（ＺＮ）を次の空調機（３−Ｎ＋１）が担当する空調ゾーン（ＺＮ＋１）に変更するという処理を繰り返す。
【００１４】
なお、上記説明では、一例として、発明の構成要素に対応する図面上の構成要素を、括弧を付した参照符号によって示している。
【発明の効果】
【００１５】
本発明によれば、サーバラック毎にラック温度センサを設け、ラック温度センサとこのラック温度センサが属する空調ゾーンとの関係を仮決めし、複数の空調機のうちの１つを属性判断対象の空調機とし、この属性判断対象の空調機からのサーバルームへの給気温度の計測値に変動があったか否かを確認し、変動がなかった場合にはその給気温度の設定値を変更した後、この属性判断対象の空調機が担当する空調ゾーンに属するセンサとして仮決めされているラック温度センサの計測するラック温度の変化を観測し、そのラック温度の変化が観測されたラック温度センサが属性判断対象の空調機が担当する空調ゾーンに属するセンサであるか否かを判断し、属性判断対象の空調機が担当する空調ゾーンに属するセンサであると判断された場合には、そのラック温度センサを属性判断対象の空調機が担当する空調ゾーンに属するラック温度センサとして確定し、属性判断対象の空調機が担当する空調ゾーンに属するセンサではないと判断された場合には、そのラック温度センサに対して仮決めされている空調ゾーンを次の空調機が担当する空調ゾーンに変更するようにしたので、属性判断対象の空調機を次々に切り替えて行くことにより、ラック温度センサとこのラック温度センサが属する空調ゾーンとの関係が確定されて行くものとなり、各空調機が担当している空調ゾーンを正確に把握し、サーバラックの冷却に対して温度設定値緩和などのより適切な運用処理を実現することが可能となる。
【図面の簡単な説明】
【００１６】
【図１】図１は、本発明の実施の形態に係るサーバルームにおける空調ゾーンの判別装置を用いた空調システムの要部を示す図である。
【図２】図２は、空調ゾーン判定装置で行われる処理をより詳細に説明するためのフローチャートである。
【図３】図３は、Ｎ＝１番目の空調機を属性判断対象の空調機とした場合のラック温度センサの属性が確定される様子を示す図である。
【図４】図４は、Ｎ＝２番目の空調機を属性判断対象の空調機とした場合のラック温度センサの属性が確定される様子を示す図である。
【図５】図５は、サーバルームの一例を示す平面図である。
【発明を実施するための形態】
【００１７】
〔発明の原理〕
先ず、本発明の原理について説明する。本発明の原理としては、サーバルーム内に設置されたサーバラックを対象として、サーバラックの吸込み温度（１ラックについて１ポイント）を計測する。そして、特定の空調機１台のみの給気温度の設定値を一定時間下げ、サーバラックの吸込み温度の反応を把握することで空調ゾーンを特定し定義する。
【００１８】
図５に空調機３−１〜３−６が担当する空調ゾーンのイメージをＺ１〜Ｚ６として示す。サーバラック２に実装されるＩＴ機器の密度により、サーバラック２が必要とする冷気量が異なるため、ＩＴ機器の負荷密度によりフロアの開口部（グリルパネル）の密度が変化する。これにより、１台の空調機３が担当する空調ゾーンＺの大きさが変動してしまう。
【００１９】
空調ゾーンを把握し難い理由の１つとして、気流の複雑さがある。すなわち、気流解析などの複雑な工程が必須のものとして、一般に認識されている。これに対し、本願の発明者は、サーバルームの気流と温度との関係性に着眼した。サーバルームは、発熱密度が高いため、冷却に非常に多くの風量を要する。そのため、ラック温度と空調機の給気温度との相関関係が強い。したがって、空調機の給気温度を変化させて温度差を変化させたときに、通常の一般空調ゾーンに比べると気流の乱れや温度差に伴う空調ゾーン間の熱交換が発生しにくい。そして、上記の特徴を突き止めたことにより、給気温度の操作又は成り行きの温度変化を利用して空調ゾーンを把握することに想到した。
【００２０】
〔実施の形態〕
以下、本発明の実施の形態を図面に基づいて詳細に説明する。図１は本発明の実施の形態に係るサーバルームにおける空調ゾーンの判別装置を含む空調システム１００の要部を示す図である。同図において、図５と同一符号は図５を参照して説明した構成要素と同一或いは同等の構成要素を示し、その説明は省略する。
【００２１】
図１では説明を簡単とするために、サーバルーム１内の空調を分担して行う空調機３を３−１〜３−３の３台とし、この空調機３−１〜３−３の担当する空調ゾーンＺをＺ１〜Ｚ３としている。また、サーバラック２は３つを１つのサーバラック群４とし、このサーバラック群４がサーバルーム１内に３列設けられているものとする。また、この３列のサーバラック群４−１〜４−３のうち、サーバラック群４−１を構成する３つのサーバラック２をサーバラック２−１〜２−３とし、サーバラック群４−２を構成する３つのサーバラック２をサーバラック２−４〜２−６とし、サーバラック群４−３を構成する３つのサーバラック２をサーバラック２−７〜２−９とする。
【００２２】
また、本実施の形態において、各サーバラック２には、サーバラック２への空気の吸込み温度をラック温度として計測するラック温度センサＳが設けられている。すなわち、サーバラック２−１〜２−９に対して、ラック温度センサＳ１〜Ｓ９が設けられている。また、各空調機３には、空調機３から吹き出される空気の温度を給気温度として計測する給気温度センサ５が設けられている。すなわち、空調機３−１〜３−３に対して、給気温度センサ５−１〜５−３が設けられている。
【００２３】
また、この空調システム１００には、サーバルーム１における各空調機３が担当する空調ゾーンＺを判定する空調ゾーン判定装置６が設けられている。この空調ゾーン判定装置６が本発明の実施の形態に係るサーバルームにおける空調ゾーンの判別装置に相当する。この空調ゾーン判定装置６は、プロセッサや記憶装置からなるハードウェアと、これらのハードウェアと協働して各種機能を実現させるプログラムとによって実現される。
【００２４】
空調ゾーン判定装置６は、ラック温度センサ属性記憶部６１と、ラック温度変化観測部６２と、ラック温度センサ属性判断部６３とを備えている。ラック温度センサ属性記憶部６１には、ラック温度センサＳとこのラック温度センサＳが属するゾーンとして仮決めされた空調ゾーンＺとの関係がラック温度センサの属性として記憶される。
【００２５】
ラック温度変化観測部６２は、空調機３−１〜３−３のうちの１つを属性判断対象の空調機３（３−Ｎ）とし、この属性判断対象の空調機３−Ｎからのサーバルーム（１）への給気温度の計測値に変動があったか否かを確認し、変動がなかった場合にはその給気温度の設定値を変更した後、属性判断対象の空調機３−Ｎが担当する空調ゾーンＺ（ＺＮ）に属するセンサとして仮決めされているラック温度センサＳの計測するラック温度の変化を観測する。なお、ラック温度変化観測部６２は、ラック温度の変化を観測する機能だけではなく、空調機３−１〜３−３からのサーバルーム１への給気温度の設定値を変更する機能も備えている。
【００２６】
ラック温度センサ属性判断部６３は、ラック温度変化観測部６２によって観測されたラック温度の変化に基づいて、そのラック温度の変化が観測されたラック温度センサＳが属性判断対象の空調機３−Ｎが担当する空調ゾーンＺＮに属するセンサであるか否かを判断し、属性判断対象の空調機３−Ｎが担当する空調ゾーンＺＮに属するセンサであると判断された場合には、そのラック温度センサＳを属性判断対象の空調機３−Ｎが担当する空調ゾーンＺＮに属するラック温度センサとして確定し、属性判断対象の空調機３−Ｎが担当する空調ゾーンＺＮに属するセンサではないと判断された場合には、そのラック温度センサＳに対して仮決めされている空調ゾーンＺＮを次の空調機３（３−Ｎ＋１）が担当する空調ゾーンＺ（ＺＮ＋１）に変更する。
【００２７】
また、ラック温度変化観測部６２は、ラック温度センサ属性判断部６３での処理の終了後、次の空調機３−Ｎ＋１を新たな属性判断対象の空調機３−Ｎとし、この新たな属性判断対象の空調機３−Ｎからのサーバルーム１への給気温度の計測値に変動があったか否かを確認し、変動がなかった場合にはその給気温度の設定値を変更した後、この新たな属性判断対象の空調機３−Ｎが担当する空調ゾーンＺＮに属するセンサとして仮決めされているラック温度センサＳの計測するラック温度の変化を観測する。また、ラック温度センサ属性判断部６３は、全てのラック温度センサＳの属する空調ゾーンＺが確定されるまで、上述した処理を繰り返す。
【００２８】
図２は空調ゾーン判定装置６で行われる処理をより詳細に説明するためのフローチャートである。先ず、各ラック温度センサＳの属する空調ゾーンＺを仮決めする（ステップＳ１０１）。この例では、ラック温度センサＳ１〜Ｓ３の属するゾーンを空調ゾーンＺ１として仮決めし、ラック温度センサＳ４〜Ｓ６の属するゾーンを空調ゾーンＺ２として仮決めし、ラック温度センサＳ７〜Ｓ１２の属するゾーンを空調ゾーンＺ３として仮決めする。この仮決めされたラック温度センサＳと空調ゾーンＺとの関係はラック温度センサの属性としてラック温度センサ属性記憶部６１に記憶される。
【００２９】
なお、ステップＳ１０１での仮決めは、空調ゾーン判定装置６自身が行うものとしてもよいし、オペレータが行うようにしてもよい。また、各ラック温度センサＳからの計測データをもとに空調領域の温度分布（平面図）を作成して表示するようにしてもよく、各空調機３の給気温度と計測された各ラック温度センサＳの温度データとマップ情報を作成し、各ラック温度センサＳと各空調機３との相関を仮決めするようにしてもよい。
【００３０】
次に、空調ゾーン判定装置６は、Ｎ＝１とし（ステップＳ１０２）、Ｎ＝１番目の空調機３−１を属性判断対象の空調機とする。そして、この属性判断対象の空調機３−１に付設されている給気温度センサ５−１の計測値（給気温度計測値）を取得する（ステップＳ１０３）。また、この属性判断対象の空調機３−１が担当する空調ゾーンＺ１に属するセンサとして仮決めされているラック温度センサＳ１〜Ｓ３の計測値（吸込み温度）を取得する（ステップＳ１０４）。そして、この取得したラック温度センサＳ１〜Ｓ３の計測値と属性判断対象の空調機３−１の給気温度計測値との偏差（温度偏差）を算出する（ステップＳ１０５）。
【００３１】
そして、空調ゾーン判定装置６は、属性判断対象の空調機３−１の給気温度計測値に変動があったか否かを確認する（ステップＳ１０６）。ここで、属性判断対象の空調機３−１の給気温度計測値に変動があれば（ステップＳ１０６のＹＥＳ）、直ちにステップＳ１０８へ進む。属性判断対象の空調機３−１の給気温度計測値に変動がなければ（ステップＳ１０６のＮＯ）、属性判断対象の空調機３−１の給気温度の設定値を一定値・一定時間下げた後（ステップＳ１０７）、ステップＳ１０８へ進む。
【００３２】
空調ゾーン判定装置６は、ステップＳ１０８において、ステップＳ１０３と同様にして、属性判断対象の空調機３−１の給気温度計測値を取得する。また、ステップＳ１０９において、ステップＳ１０４と同様にして、属性判断対象の空調機３−１が担当する空調ゾーンＺ１に属するセンサとして仮決めされているラック温度センサＳ１〜Ｓ３の計測値（吸込み温度）を取得する。
【００３３】
そして、空調ゾーン判定装置６は、この取得したラック温度センサＳ１〜Ｓ３の計測値と属性判断対象の空調機３−１の給気温度計測値との偏差（温度偏差）を算出し（ステップＳ１１０）、ステップＳ１０５で求めた温度偏差とステップＳ１１０で求めた温度偏差に変動があったか否かを確認する（ステップＳ１１１）。この温度偏差の変動の確認は算出された温度偏差毎に行う。すなわち、ラック温度センサＳ１〜Ｓ３のそれぞれについて、温度偏差の確認を行う。また、温度偏差の変動の有無は、所定の閾値をもって判断する。
【００３４】
ここで、空調ゾーン判定装置６は、温度偏差に変動がなかった場合には（ステップＳ１１１のＮＯ）、そのラック温度センサＳを属性判断対象の空調機３−１が担当する空調ゾーンＺ１に属するセンサである（給気温度とラック温度との間に相関がある）と判断し、そのラック温度センサＳが属するゾーンを属性判断対象の空調機３−１が担当する空調ゾーンＺ１として確定する（ステップＳ１１２）。これに対し、温度偏差に変動があった場合には（ステップＳ１１１のＹＥＳ）、そのラック温度センサＳは属性判断対象の空調機３−１が担当する空調ゾーンＺ１に属するセンサではない（給気温度とラック温度との間に相関がない）と判断し、そのラック温度センサＳが属するゾーンとして仮決めされている空調ゾーンＺ１を次の空調機３−２が担当する空調ゾーンＺ２に変更する（ステップＳ１１３）。
【００３５】
例えば、ステップＳ１１１において、ラック温度センサＳ１，Ｓ２の温度偏差に変動がなく、ラック温度センサＳ３の温度偏差に変動があった場合には、ラック温度センサＳ１，Ｓ２が属するゾーンを属性判断対象の空調機３−１が担当する空調ゾーンＺ１として確定し、ラック温度センサＳ３に対して仮決めされている空調ゾーンを次の空調機３−２が担当する空調ゾーンＺ２に変更する（図３参照）。
【００３６】
そして、空調ゾーン判定装置６は、全てのラック温度センサＳの属する空調ゾーンが確定された否かを確認する（ステップＳ１１４）。この場合、全てのラック温度センサＳの属する空調ゾーンはまだ確定されていないので（ステップＳ１１４のＮＯ）、Ｎが最後（Ｎ＝３）でないことを確認のうえ（ステップＳ１１５のＮＯ）、Ｎ＝Ｎ＋１＝２とし（ステップＳ１１６）、Ｎ＝２番目の空調機３−２を次の属性判断対象の空調機として、ステップＳ１０３へ戻る。
【００３７】
これにより、属性判断対象の空調機が空調機３−１から空調機３−２に切り替わり、ステップＳ１０３以降の処理が繰り返される。この処理において、例えば、ラック温度センサＳ３，Ｓ４，Ｓ５の温度偏差に変動がなく、ラック温度センサＳ６の温度偏差に変動があった場合、ラック温度センサＳ３，Ｓ４，Ｓ５が属するゾーンが属性判断対象の空調機３−２が担当する空調ゾーンＺ２として確定され、ラック温度センサＳ６に対して仮決めされている空調ゾーンが次の空調機３−３が担当する空調ゾーンＺ３に変更される（図４参照）。
【００３８】
以下、同様にして、ステップＳ１１４において全てのラック温度センサＳの属する空調ゾーンが確定されるまで、ステップＳ１０３〜Ｓ１１６の処理が繰り返される。なお、この処理中、Ｎが最後（Ｎ＝３）であることが確認されると（ステップＳ１１５のＹＥＳ）、すなわち属性判断対象の空調機を空調機３−３としてもまだ全てのラック温度センサＳの属する空調ゾーンが確定されない場合には、ステップＳ１０２に戻り、Ｎ＝１としてステップＳ１０３以降の処理を繰り返す。
【００３９】
この空調ゾーン判定装置６が行う処理において、ラック温度変化観測部６２はステップＳ１０２〜Ｓ１１０の処理を行い、ラック温度センサ属性判断部６３はステップＳ１１１〜Ｓ１１６の処理を行う。
【００４０】
このようにして、本実施の形態の空調ゾーン判定装置６によれば、属性判断対象の空調機３−Ｎを次々に切り替えて行くことにより、ラック温度センサＳとこのラック温度センサＳが属する空調ゾーンＺとの関係が確定されて行くものとなり、各空調機３が担当している空調ゾーンＺを正確に把握し、サーバラック２の冷却に対して温度設定値緩和などのより適切な運用処理を実現することができるようになる。
【００４１】
なお、図２に示した処理では、属性判断対象の空調機３−Ｎが担当する空調ゾーンＺに属するセンサとして仮決めされているラック温度センサＳの計測値と属性判断対象の空調機３−Ｎの給気温度計測値との偏差（温度偏差）の変動を、そのラック温度センサＳの計測するラック温度の変化を示す指標として観測し〔温度偏差に変動がなかった場合にはラック温度の変化あり(給気温度とラック温度との間に相関あり)、温度偏差に変動があった場合にはラック温度の変化なし(給気温度とラック温度との間に相関なし)〕、この観測した温度偏差の変動に基づいてその温度偏差が観測されたラック温度センサＳが属性判断対象の空調機３が担当する空調ゾーンＺに属するセンサであるか否かを判断するようにしたが、例えば、属性判断対象の空調機３が担当する空調ゾーンＺに属するセンサとして仮決めされているラック温度センサＳの計測値の変化のみを観測し、この観測したラック温度センサＳの計測値の変化に基づいて判断するなどしてもよい。
【００４２】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００４３】
１…サーバルーム、２（２−１〜２−９）…サーバラック、３（３−１〜３−３）…空調機、４（４−１〜４−３）…サーバラック群、５（５−１〜５−３）…給気温度センサ、６…空調ゾーン判定装置、６１…ラック温度センサ属性記憶部、６２…ラック温度変化観測部、６３…ラック温度センサ属性判断部、１００…空調システム、Ｓ（Ｓ１〜Ｓ９）…ラック温度センサ、Ｚ（Ｚ１〜Ｚ３）…空調ゾーン。
【図１】
2017203610.tif 000003
【図２】
2017203610.tif 000004
【図３】
2017203610.tif 000005
【図４】
2017203610.tif 000006
【図５】
2017203610.tif 000007